(57)【要約】【課題】清掃具を屈曲させて使用すべき場合に、清掃すべき場所の奥行きに合わせた変形が可能である清掃具を提供すること。【解決手段】把持部３を有する第１アーム部５と、第２アーム部９と、第１アーム部５及び第２アーム部９を連結し且つアーム角度θを調整可能である回転部７と、第２アーム部９に連結され、清掃体１０１を取付けるための清掃体取付部１１とを備え、先端１３及び基端１５を有する清掃具１であって、第２アーム部９が、伸縮可能であることを特徴とする清掃具１。【選択図】図１
2018042690.tif 000002
【特許請求の範囲】
【請求項１】
把持部を有する第１アーム部と、第２アーム部と、第１アーム部及び第２アーム部を連結し且つアーム角度を調整可能である回転部と、第２アーム部に連結され、清掃体を取付けるための清掃体取付部とを備え、先端及び基端を有する清掃具であって、
第２アーム部が、伸縮可能である、
ことを特徴とする、前記清掃具。
【請求項２】
第２アーム部が、伸長形態を保持するロック機構を備える、請求項１に記載の清掃具。
【請求項３】
第２アーム部が、中空部を有する第２アーム部第１筒体と、前記中空部内に挿入された第２アーム部第２筒体とを少なくとも備え、第２アーム部が、第２アーム部第１筒体及び第２アーム部第２筒体を相対的に移動させることにより伸縮可能であり、第２アーム部第１筒体が、前記清掃体取付部に連結されている、請求項１又は２に記載の清掃具。
【請求項４】
前記回転部が、その回転軸上に、前記回転部の回転可能状態と、回転不可能状態とを切り替える切替部を備える、請求項１〜３のいずれか一項に記載の清掃具。
【請求項５】
前記回転部が、第１アーム部と連結しており且つ前記回転軸を有する第１ギア部と、第２アーム部と連結しており且つ前記回転軸を有する第２ギア部とを備え、第１ギア部及び第２ギア部が、それぞれ、お互いに噛み合う複数の第１歯部と、複数の第２歯部とを備え、前記切替部が、前記切替部を押し込むことにより、第１ギア部の複数の第１歯部と、第２ギア部の複数の第２歯部との噛合いを解除し、前記回転部を、前記回転不可能状態から前記回転可能状態に切り替える、請求項４に記載の清掃具。
【請求項６】
前記複数の第１歯部のそれぞれが、第２ギア部に近づくほど先細になっているか、そして／又は前記複数の第２歯部のそれぞれが、第１ギア部に近づくほど先細になっており、前記回転部が、前記回転部に前記アーム角度を変化させる所定の力が加わった際に、第１ギア部の複数の第１歯部と、第２ギア部の複数の第２歯部との噛合いをずらす、請求項５に記載の清掃具。
【請求項７】
第１アーム部が伸縮可能であり、第１アーム部が、伸長形態を保持する伸長時ロック機構と、収縮形態を保持する収縮時ロック機構とを備える、請求項１〜６のいずれか一項に記載の清掃具。
【請求項８】
第１アーム部が、中空部を有する第１アーム部第１筒体と、前記中空部内に挿入された第１アーム第２筒体とを少なくとも備え、第１アーム第１筒体が、前記基端よりの第１基端部と、前記先端よりの第１先端部とを有し、第１アーム部第２筒体が、前記基端よりの第２基端部と、前記先端よりの第２先端部とを有し、第１アーム部第１筒体が、第１基端部に第１ロック部材を備え、第１アーム部第２筒体が、第２基端部に第２ロック部材を備え、前記収縮時ロック機構が、第１ロック部材と、第２ロック部材とをロックさせることにより機能する、請求項７に記載の清掃具。
【請求項９】
第２ロック部材が、第１アーム部第２筒体の第２基端部から、第１アーム部の軸線に沿って第１アーム部第２筒体の外側に延出する延出部を有し、前記延出部が、前記第１アーム部の軸線から遠ざかる方向に延びる係合用凸部を備え、第１アーム部第１筒体が、第１先端部の内面に係合面を備え、前記伸長時ロック機構が、前記係合用凸部が、前記係合面に係合することにより発現する、請求項８に記載の清掃具。
【請求項１０】
第２ロック部材が、第１アーム部第１筒体の内面と摺動する摺動部をさらに備える、請求項８又は９に記載の清掃具。
【請求項１１】
前記基端から前記回転部の回転軸までの長さを基端長さとし、前記回転部の前記回転軸から前記先端までの長さを先端長さとした場合に、前記先端長さが、収縮形態における前記基端長さの０．６〜２．０倍の範囲内にあり、そして前記先端長さが、伸長形態における前記基端長さの０．１〜０．７倍の範囲内にある、請求項７〜１０のいずれか一項に記載の清掃具。
【発明の詳細な説明】
【技術分野】
【０００１】
本開示は、清掃具に関する。
【背景技術】
【０００２】
使い捨ての清掃体を清掃体取付部に取付け、ホコリ等の拭き清掃を行う清掃具が市販されている。上記清掃具として、例えば、特許文献１，特許文献２等に示されるように、把持部を備え且つ伸縮可能な第１アーム部と、回転部と、伸縮不可能な第２アーム部と、清掃体取付部とを備えるものが知られている。
【先行技術文献】
【特許文献】
【０００３】
【特許文献１】特開２００４−４９６１８号公報
【特許文献２】特開２００８−２５３５２２号公報
【発明の概要】
【発明が解決しようとする課題】
【０００４】
特許文献１，特許文献２等に記載される清掃具は、第１アーム部が伸縮可能であり、手の届きにくい高いところ等の埃等を除去する性能に優れたものであるが、第２アーム部が伸縮不可能であるため、清掃具の使用者と、清掃すべき場所（例えば、エアコンの天板の奥まった部分）との間に障害物（例えば、エアコン本体）があり、清掃具を屈曲させて使用すべき場合に、清掃すべき場所の奥行きに合わせて清掃する観点からは改善の余地があった。
従って、本開示は、清掃具を屈曲させて使用すべき場合に、清掃すべき場所の奥行きに合わせた変形が可能である清掃具を提供することを目的とする。
【課題を解決するための手段】
【０００５】
本開示者らは、把持部を有する第１アーム部と、第２アーム部と、第１アーム部及び第２アーム部を連結し且つアーム角度を調整可能である回転部と、第２アーム部に連結され、清掃体を取付けるための清掃体取付部とを備え、先端及び基端を有する清掃具であって、第２アーム部が、伸縮可能であることを特徴とする清掃具を見出した。
【発明の効果】
【０００６】
本開示の清掃具は、清掃具を屈曲させて使用すべき場合に、清掃すべき場所の奥行きに合わせた変形が可能である。
【図面の簡単な説明】
【０００７】
【図１】図１は、清掃具１が取付けられた、清掃形態における、第１実施形態に従う清掃具１の斜視図である。
【図２】図２は、収納形態における清掃具１の左側面図である。
【図３】図３は、アーム角度θを１８０度に調整した状態における、清掃具１を説明するための図である。
【図４】図４は、第２アーム部９の左側面の断面図である。
【図５】図５は、第２アーム部第１筒体２０１及び第２アーム部第２筒体２０５の拡大図である。
【図６】図６は、回転部７の、図３（ｂ）のＶＩ−ＶＩ断面における断面図である。
【図７】図７は、ギア付ブッシュ３０７を説明するための図である。
【図８】図８は、回転型ラチェット３０９を説明するための図である。
【図９】図９は、収縮形態における第１アーム部５を説明するための図である。
【図１０】図１０は、伸長形態における第１アーム部５を説明するための図である。
【図１１】図１１は、第１ロック部材４２５を説明するための図である。
【図１２】図１２は、第２ロック部材４２７を説明するための図である。
【図１３】図１３は、清掃具１の、収納形態から清掃形態への変形を説明するための図である。
【図１４】図１４は、清掃具１の、収納形態から清掃形態への変形を説明するための図である。
【図１５】図１５は、清掃具１の、収納形態から清掃形態への変形を説明するための図である。
【図１６】図１６は、清掃具１の、収納形態から清掃形態への変形を説明するための図である。
【図１７】図１７は、清掃具１の、収納形態から清掃形態への変形を説明するための図である。
【図１８】図１８は、清掃具１を用いた清掃例を示す図である。
【発明を実施するための形態】
【０００８】
［定義］
・清掃具（回転部）に関する「アーム角度」
本明細書では、清掃具（回転部）に関する「アーム角度」は、第１アーム部の第１アーム部軸線と、第２アームの第２アーム部軸線とが形成する角度を意味する。なお、上記アーム角度には、第１実施形態に示される回転部連結体２１３のような、収納形態において、第１アーム部と、第２アーム部とを平行にするための部材は考慮に入れない。
【０００９】
・「収縮形態」及び「伸長形態」
本明細書では、清掃具を構成する部材（例えば、第１アーム部及び第２アーム部）に関する「収縮形態」及び「伸長形態」は、伸縮可能な部材に対して用いられる用語である。
具体的には、「収縮形態」は、伸縮可能な部材を最収縮させた状態を意味し、「伸長形態」は、伸縮可能な部材を最伸長させた状態を意味する。
また、収縮形態は、後述の清掃具の収納形態に関連し、伸長形態は、後述の清掃具の清掃形態に関連する。
【００１０】
・清掃具に関する「収納形態」及び「清掃形態」
本明細書では、清掃具に関する「収納形態」は、清掃具を保管する際に採用される形態を意味する。一般的には、収納形態における清掃具は、清掃具の伸長しうる部分を全て収縮させ（収納形態にし）、アーム角度を最小にした状態にある。
【００１１】
本明細書では、清掃具に関する「清掃形態」は、清掃具を使用する際に採用される形態を意味する。一般的には、清掃形態における清掃具は、アーム角度を、清掃すべき箇所に応じて変え、清掃具の伸長しうる部分を、清掃すべき箇所に応じて伸長させた状態（伸縮可能な部材においては、伸長形態を含む）にある。なお、使用者と近い部分を清掃する場合には、清掃具の伸長しうる部分を伸長させずに使用する場合もある。
【００１２】
・清掃具に関する「正面」、「側面」及び「背面」
本明細書では、清掃具に関し、使用者が清掃具を把持した状態において、使用者側を向く面を正面と称し、使用者側を向く面と反対側の面を背面と称する。側面は、正面及び背面の間の２面を意味する。
図１には、互いに直交するＸ軸、Ｙ軸及びＺ軸が示されており、Ｘ軸の向かって右側が清掃具の正面であり、Ｘ軸の向かって左側が清掃具の背面であり、Ｙ軸の向かって奥側が、清掃具の右側面であり、Ｙ軸の向かって手前側が、清掃具の左側面である。なお、Ｚ軸は、第１アーム部軸線に相当する。
また、清掃具に関する上述の「正面」、「側面」及び「背面」の定義は、第１アーム部５の第１アーム部軸線ＡＬ1と、第２アーム部９の第２アーム部軸線ＡＬ2とが、平行となるように回転部７を回転させた状態（アーム角度θ＝１８０度の状態）で適用される。
【００１３】
・「基端」及び「先端」
本明細書において、「基端」及び「先端」は、それぞれ、清掃具の、第１アーム部側の端縁及び清掃体取付部側の端縁を意味する。
・「内側」及び「外側」
本明細書において、「内側」及び「外側」は、それぞれ、対象物が、比較すべき物と比較して軸線に近いこと及び軸線から遠いことを意味する。
【００１４】
本開示は、以下の態様に関する。
［態様１］
把持部を有する第１アーム部と、第２アーム部と、第１アーム部及び第２アーム部を連結し且つアーム角度を調整可能である回転部と、第２アーム部に連結され、清掃体を取付けるための清掃体取付部とを備え、先端及び基端を有する清掃具であって、
第２アーム部が、伸縮可能である、
ことを特徴とする、上記清掃具。
【００１５】
清掃具は、（ｉ）清掃具の収納形態から清掃形態への変形（以下、「清掃形態への変形」と称する場合がある）、（ｉｉ）清掃具による清掃、そして（ｉｉｉ）清掃具の、清掃形態から収納形態への変形（以下、「収納形態への変形」と称する場合がある）の順で使用されるのが一般的である。
【００１６】
上記清掃具は、伸長可能な第２アーム部を有するため、清掃具の使用者と、清掃すべき場所（例えば、エアコンの天板の奥の部分）との間に障害物（例えば、エアコン本体）があり、清掃具を屈曲させて使用すべきシチュエーションにおいて、（ｉ）清掃形態への変形において、清掃すべき場所の奥行きに合わせた変形が可能である。具体的には、清掃すべき場所の奥行きが深い場合には、第２アーム部を伸長させて、奥行きの深い清掃すべき場所を簡易に清掃することができる。また、清掃すべき場所の奥行きが浅い場合には、第２アーム部を伸長させずに、奥行きの浅い清掃すべき場所を簡易に清掃することができる。
【００１７】
また、上記清掃具は、清掃すべき場所の奥行きに合わせた変形が可能である結果、（ｉｉ）清掃具による清掃の際に、清掃すべき場所の清掃性に優れる。
なお、本明細書では、「清掃すべき場所」は、特に断りのない限り、上述のシチュエーションにおける清掃すべき場所を意味する。
さらに、上記清掃具は、伸長可能な第２アーム部を有するため、家庭内で複数の使用者、例えば、大人（男性、女性）、子供等、背の高さの異なる使用者が使用する場合に、背の高さに応じて、最適な形状に変形することができる。
さらに、上記清掃具は、伸長可能な第２アーム部を有するため、清掃具の収納形態を、清掃形態より小さくすることができ、保管性に優れる。
【００１８】
［態様２］
第２アーム部が、伸長形態を保持するロック機構を備える、態様１に記載の清掃具。
上記清掃具は、第２アーム部が伸長形態を保持するロック機構を備えるので、（ｉｉ）清掃具による清掃の際に、その形状を維持し続けることができ、形状維持性に優れ、ひいては、清掃すべき場所の清掃性に優れる。
【００１９】
［態様３］
第２アーム部が、中空部を有する第２アーム部第１筒体と、上記中空部内に挿入された第２アーム部第２筒体とを少なくとも備え、第２アーム部が、第２アーム部第１筒体及び第２アーム部第２筒体を相対的に移動させることにより伸縮可能であり、第２アーム部第１筒体が、上記清掃体取付部に連結されている、態様１又は２に記載の清掃具。
【００２０】
上記清掃具では、第２アーム部第１筒体が清掃体取付部と連結されているため、上記清掃具は、（ｉ）清掃形態への変形の際に、一方の手で把持部を把持し、他方の手で第２アーム部第１筒体を把持し（他方の手で清掃体取付部又は清掃体取付部に取付けられた清掃体を把持せず）、第２アーム部を簡易に伸長させることができ、清掃形態変形性に優れる。また、上記清掃具は、（ｉｉｉ）収納形態への変形の際に、一方の手で把持部を把持し、他方の手で第２アーム部第１筒体を把持し（他方の手で清掃体取付部又は清掃体取付部に取付けられた清掃体を把持せず）、第２アーム部を簡易に収縮させることができ、収納形態変形性に優れる。
【００２１】
なお、第２アーム部第１筒体が、回転部と連結されている場合には、第２アーム部を伸縮させるために、清掃体取付部又は取付けられた清掃体を把持する必要性が生ずるときがあり、清掃体が脱落する、使用者の手が汚れる等の問題点がある。そのような清掃具としては、収縮形態における第２アーム部において、第２アーム部第２筒体が、第２アーム部第１筒体の中空部に完全に収納されているものが挙げられる。
【００２２】
［態様４］
上記回転部が、その回転軸上に、上記回転部の回転可能状態と、回転不可能状態とを切り替える切替部を備える、態様１〜３のいずれか一項に記載の清掃具。
【００２３】
上記清掃具は、回転部が所定の切替部を備えるので、（ｉ）清掃形態への変形の際に、一方の手で把持部を把持しながら、他方の手で第２アーム部を伸長させ、回転部を回転不可能状態から回転可能状態に切り替え、回転部を回転させ、そして回転部を回転可能状態から回転不可能状態に切り替える一連の清掃形態変形動作を簡易に実施することができるので、清掃形態変形性に優れる。
【００２４】
また、上記清掃具は、（ｉｉｉ）収納形態への変形の際に、一方の手で把持部を把持しながら、他方の手で第２アーム部を収縮させ、回転部を回転不可能状態から回転可能状態に切り替え、回転部を回転させ、そして回転部を回転可能状態から回転不可能状態に切り替える一連の収納形態変形動作を簡易に実施することができるので、収納形態変形性に優れる。
なお、上述の清掃形態変形動作及び収納形態変形動作は、本開示の清掃具の清掃形態変形動作及び収納形態変形動作の一例であって、本開示の清掃具の構成、使い方等を何ら限定するものではない。
【００２５】
［態様５］
上記回転部が、第１アーム部と連結しており且つ上記回転軸を有する第１ギア部と、第２アーム部と連結しており且つ上記回転軸を有する第２ギア部とを備え、第１ギア部及び第２ギア部が、それぞれ、お互いに噛み合う複数の第１歯部と、複数の第２歯部とを備え、上記切替部が、上記切替部を押し込むことにより、第１ギア部の複数の第１歯部と、第２ギア部の複数の第２歯部との噛合いを解除し、上記回転部を、上記回転不可能状態から上記回転可能状態に切り替える、態様４に記載の清掃具。
【００２６】
上記清掃具では、回転部が、所定の切替部を備えるので、（ｉ）清掃形態への変形の際に、一方の手で把持部を把持しながら、他方の手で第２アーム部を伸長させ、切替部を押し込むことにより、回転部を回転不可能状態から回転可能状態に切り替え、回転部を回転させ、そして切替部の押込みを元に戻すことにより、回転部を回転可能状態から回転不可能状態に切り替える一連の清掃形態変形動作を簡易に実施することができるので、清掃形態変形性に優れる。
【００２７】
また、上記清掃具は、（ｉｉｉ）収納形態への変形の際に、一方の手で把持部を把持しながら、他方の手で第２アーム部を収縮させ、切替部を押し込むことにより、回転部を回転不可能状態から回転可能状態に切り替え、回転部を回転させ、そして切替部の押込みを元に戻すことにより、回転部を回転可能状態から回転不可能状態に切り替える一連の収納形態変形動作を簡易に実施することができるので、収納形態変形性に優れる。
なお、上述の清掃形態変形動作及び収納形態変形動作は、本開示の清掃具の清掃形態変形動作及び収納形態変形動作の一例であって、本開示の清掃具の構成、使い方等を何ら限定するものではない。
【００２８】
さらに、上記清掃具では、回転部が、所定の第１ギア部と、所定の第２ギア部とを含むので、回転部の回転許容角度を任意に（広く、狭く）設定することができる。また、第１ギア部の複数の第１歯部のそれぞれのサイズ、第２ギア部の複数の第２歯部のそれぞれのサイズを調整することにより、回転部の固定角度を任意に（大きく、小さく）設定することができる。その結果、上記清掃具は、清掃すべき場所に合わせて、回転部の回転許容角度、回転部の固定角度を任意に設定可能である。
【００２９】
［態様６］
上記複数の第１歯部のそれぞれが、第２ギア部に近づくほど先細になっているか、そして／又は上記複数の第２歯部のそれぞれが、第１ギア部に近づくほど先細になっており、上記回転部が、上記回転部に上記アーム角度を変化させる所定の力が加わった際に、第１ギア部の複数の第１歯部と、第２ギア部の複数の第２歯部との噛合いをずらす、態様５に記載の清掃具。
【００３０】
上記清掃具では、回転部が、回転部に上述のアーム角度を変化させる力が加わった際に、第１ギア部の複数の第１歯部と、第２ギア部の複数の第２歯部との噛合いをずらすことができるので、（ｉｉ）清掃具により、視認性に劣る、清掃すべき場所を清掃する際に、仮に清掃具に強い力が加わったときでも、第１ギア部の第１歯部と、第２ギア部の第２歯部との噛み合いをずらして、力を逃がすことができるので、回転部の破損を防止するとともに、（ｉｉ）清掃具による清掃の際に、清掃すべき場所の清掃性に優れる。
【００３１】
［態様７］
第１アーム部が伸縮可能であり、第１アーム部が、伸長形態を保持する伸長時ロック機構と、収縮形態を保持する収縮時ロック機構とを備える、態様１〜６のいずれか一項に記載の清掃具。
【００３２】
上記清掃具では、第１アーム部が伸縮可能であるとともに、伸長時ロック機構及び収縮時ロック機構を備えるので、（ｉｉ）清掃具による清掃の際に、第１アーム部を伸長形態及び収縮形態のいずれで使用した場合であっても、そして清掃具を上向き及び下向きのいずれで使用した場合であっても、形状維持性に優れる。
【００３３】
［態様８］
第１アーム部が、中空部を有する第１アーム部第１筒体と、上記中空部内に挿入された第１アーム第２筒体とを少なくとも備え、第１アーム第１筒体が、上記基端よりの第１基端部と、上記先端よりの第１先端部とを有し、第１アーム部第２筒体が、上記基端よりの第２基端部と、上記先端よりの第２先端部とを有し、第１アーム部第１筒体が、第１基端部に第１ロック部材を備え、第１アーム部第２筒体が、第２基端部に第２ロック部材を備え、上記収縮時ロック機構が、第１ロック部材と、第２ロック部材とをロックさせることにより機能する、態様７に記載の清掃具。
【００３４】
上記清掃具では、第１アーム部が、第１ロック部材と、第２ロック部材とから成る収縮時ロック機構を備えるので、その構造、特に第１アーム部第１筒体及び第１アーム部第２筒体の構造を簡素化することができ、長期にわたって、（ｉ）清掃形態への変形の際の清掃形態変形性、（ｉｉ）清掃具による清掃の際の形状維持性、及び（ｉｉｉ）収納形態への変形の際の収納形態変形性を維持しやすい。
【００３５】
［態様９］
第２ロック部材が、第１アーム部第２筒体の第２基端部から、第１アーム部軸線に沿って第１アーム部第２筒体の外側に延出する延出部を有し、上記延出部が、上記第１アーム部軸線から遠ざかる方向に延びる係合用凸部を備え、第１アーム部第１筒体が、第１先端部の内面に係合面を備え、上記伸長時ロック機構が、上記係合用凸部が、上記係合面に係合することにより発現する、態様８に記載の清掃具。
【００３６】
上記清掃具では、第２ロック部材が、伸長時ロック機構をも有するので、その構造、特に第１アーム部第１筒体及び第１アーム部第２筒体の構造を簡素化することができ、長期にわたって、（ｉ）清掃形態への変形の際の清掃形態変形性、（ｉｉ）清掃具による清掃の際の形状維持性、及び（ｉｉｉ）収納形態への変形の際の収納形態変形性を維持しやすい。
【００３７】
［態様１０］
第２ロック部材が、第１アーム部第１筒体の内面と摺動する摺動部をさらに備える、態様８又は９に記載の清掃具。
【００３８】
上記清掃具では、第２ロック部材が、第１アーム部第１筒体の内面と摺動する摺動部をさらに備えるので、その構造、特に第１アーム部第１筒体及び第１アーム部第２筒体の構造を簡素化することができ、長期にわたって、（ｉ）清掃形態への変形の際の清掃形態変形性、（ｉｉ）清掃具による清掃の際の形状維持性、及び（ｉｉｉ）収納形態への変形の際の収納形態変形性を維持しやすい。
また、上記清掃具では、第１アーム部の長さを任意に固定することができるので、（ｉｉ）清掃具による清掃の際に、第１アーム部の長さを任意に固定し、その形状を維持し続けることができ、形状維持性に優れる。
【００３９】
［態様１１］
上記基端から上記回転部の回転軸までの長さを基端長さとし、上記回転部の上記回転軸から上記先端までの長さを先端長さとした場合に、上記先端長さが、収縮形態における上記基端長さの０．６〜２．０倍の範囲内にあり、そして上記先端長さが、伸長形態における上記基端長さの０．１〜０．７倍の範囲内にある、態様７〜１０のいずれか一項に記載の清掃具。
【００４０】
上記清掃具では、基端長さと、先端長さとが所定の範囲にあることにより、収納形態における清掃具をコンパクトにすることができる一方で、清掃体取付部の長さ、ひいては清掃体の大きさと、第２アーム部の伸縮性（収縮形態における第２アーム部の長さと、伸長形態における第２アーム部の長さとの差）とを確保することができる。また、清掃具の重心が先端よりにならず、使用者が、清掃具を重く感じにくい。また、清掃具が操作性に優れ、奥行きの深い清掃すべき場所を簡易に清掃することができる。
【００４１】
本開示の清掃具について、以下、詳細に説明する。
図１〜図１２は、本開示の実施形態の１つ（以下、「第１実施形態」と称する）に従う清掃具１を説明するための図である。図１３〜図１７は、第１実施形態に従う清掃具１の収納形態から清掃形態への変形を説明するための図である。
【００４２】
図１は、清掃体１０１が取付けられた、清掃具１の清掃形態の斜視図である。図２は、収納形態（収縮形態）における、清掃具１の左側面図である。図３は、アーム角度θを１８０度に調整した状態における、清掃具１を示す図である。具体的には、図３（ａ）は、アーム角度θを１８０度に調整した状態における、清掃具１の正面図であり、図３（ｂ）は、アーム角度θを１８０度に調整した状態における、清掃具１の左側面図である。
【００４３】
第１実施形態に従う清掃具１は、把持部３を有する第１アーム部５と、第２アーム部９と、第１アーム部５及び第２アーム部９を連結し且つアーム角度θを調整可能である回転部７と、第２アーム部に連結され、清掃体を取付けるための清掃体取付部１１とを備える。清掃具１は、第１アーム部５の、回転部７から最も遠い位置に存在する基端１５と、清掃体取付部１１の、回転部７から最も遠い位置に存在する先端１３とを有する。
なお、清掃体取付部は、特開２０１４−１６８６４６号に記載されるものと同様の公知の構造を有するため、説明を省略する。
【００４４】
図４は、第２アーム部９の断面図である。具体的には、図４（ａ）は、収縮形態における、第２アーム部９の左側面の、第２アーム部軸線ＡＬ2を通る断面図であり、図４（ｂ）は、伸長形態における、第２アーム部９の左側面の、第２アーム部軸線ＡＬ2を通る断面図である。
【００４５】
図４（ａ）及び図４（ｂ）に示されるように、第２アーム部９は、中空部２０３を有する第２アーム部第１筒体２０１と、収縮形態における第２アーム部９において、中空部２０３内に挿入される第２アーム部第２筒体２０５と、回転部７に連結されている回転部連結体２１３とを備える。第２アーム部第１筒体２０１は、清掃体取付部１１に連結されており、そして第２アーム部第２筒体２０５は、回転部連結体２１３に連結されている。第２アーム部９は、第２アーム部第１筒体２０１及び第２アーム部第２筒体２０５を相対的に移動させることにより、第２アーム部９の軸線である第２アーム部軸線ＡＬ2方向に伸縮可能であり、図４（ａ）に示される収縮形態と、図４（ｂ）に示される伸長形態とをとることができる。
【００４６】
第２アーム部第１筒体２０１は、清掃具１の基端（図示せず）よりの第２アーム部第１基端部２１５と、清掃具１の先端（図示せず）よりの第２アーム部第１先端部２１７とをそなえる。また、第２アーム部第２筒体２０５は、清掃具１の基端（図示せず）よりの第２アーム部第２基端部２１９と、清掃具１の先端（図示せず）よりの第２アーム部第２先端部２２１とをそなえる。
【００４７】
図５は、第２アーム部第１筒体２０１及び第２アーム部第２筒体２０５の拡大図（左側面，第２アーム部軸線ＡＬ2を通る断面図）である。具体的には、図５（ａ）は、第２アーム部第１筒体２０１の第２アーム部第１基端部２１５付近の拡大図（左側面，第２アーム部軸線ＡＬ2を通る断面図）であり、図５（ｂ）は、第２アーム部第２筒体２０５の第２アーム部第２先端部２２１付近の拡大図（左側面，第２アーム部軸線ＡＬ2を通る断面図）である。第２アーム部第１筒体２０１は、第２アーム部第１基端部２１５の内面に、はめ込み部材２０７を有しており、第２アーム部第１筒体２０１は、はめ込み部材２０７よりも第２アーム部第１先端部２１７よりに、一対の嵌合用窪み２０９及び嵌合用窪み２１０を備えている。第２アーム部第２筒体２０５は、第２アーム部第２先端部２２１に、一対の嵌合用突起２１１及び嵌合用突起２１２を備えている。
【００４８】
第２アーム部９は、伸長形態において、第２アーム部第２筒体２０５の嵌合用突起２１１及び嵌合用突起２１２が、それぞれ、第２アーム部第１筒体２０１の嵌合用窪み２０９及び嵌合用窪み２１０と嵌合することにより伸長形態を保持するロック機構を備えている。なお、嵌合用突起２１１及び嵌合用突起２１２のそれぞれは、その両側（図５（ｂ）では、手前及び奥）にスリット（図示せず）を有しており、嵌合用突起２１１及び嵌合用突起２１２のそれぞれが、内側に撓むことができる。
【００４９】
回転部連結体２１３は、収納形態における清掃具１において、第１アーム部５と、第２アーム部９（の第２アーム部第１筒体２０１及び第２アーム部第２筒体２０５）とが平行になるように、換言すると、アーム角度（図示せず）が略０度となるように、湾曲した形状を有している。
【００５０】
図６は、回転部７の、図３（ｂ）のＶＩ−ＶＩ断面における断面図である。回転部７は、切替部３０１としての表示部３０３及び押込部３０５と、ギア付ブッシュ３０７と、回転型ラチェット３０９と、圧縮コイルバネである第１バネ３１１及び第２バネ３１３と、支持部３１５とを備える。押込部３０５と、支持部３１５とは、回転部７の回転軸ＲＡ上に配置されている。押込部３０５と、支持部３１５とは、ギア付ブッシュ３０７と、回転型ラチェット３０９と、第１バネ３１１及び第２バネ３１３とを間に挟んで、ネジ３１７と、ワッシャ３１９と、ナット３２１とで固定されており、押込部３０５を、支持部３１５に向かって、回転軸ＲＡの方向に押し込むことができる。また、押し込まれた押込部３０５は、押込み力を取り除くと、第１バネ３１１の復元力により、元の位置に戻ることができる。支持部３１５は、ネジ３１７を隠蔽するためのキャップ３２５を備えている。
【００５１】
ギア付ブッシュ３０７は、固定ピン３２３を介して、第１アーム部５の第１アーム部第４筒体４０７に連結されている。回転型ラチェット３０９は、ギア付ブッシュ３０７の内側、すなわち、回転軸ＲＡの中心よりに配置され、押込部３０５に固定されており、押込部３０５と押込み可能に固定されている支持部３１５が、第２アーム部９の回転部連結体２１３に固定されている。また、第１アーム部５の第１アーム部第４筒体４０７と、第２アーム部９の回転部連結体２１３とは、回転軸ＲＡに沿って回転可能な状態で固定されている。
【００５２】
図７は、ギア付ブッシュ３０７を説明するための図である。図７では、上から順に、ギア付ブッシュ３０７の側面図、下面図及び複数の第１歯部３２７の形状が示されている。図７に示されるように、ギア付ブッシュ３０７は、回転軸ＲＡに沿って延びる円筒形状を有し、その内面に段部３２８を備え、段部３２８に、回転軸ＲＡに沿って、回転型ラチェット３０９に向かって延びる８個の第１歯部３２７を備えている。
【００５３】
図８は、回転型ラチェット３０９を説明するための図である。図８では、下から順に、回転型ラチェット３０９の側面図、複数の第２歯部３２９の形状及び上面図が示されている。図８に示されるように、回転型ラチェット３０９は、回転軸ＲＡに沿って延びる円筒形状を有し、円筒形状の端面３３０に、ギア付ブッシュ３０７に向かって延びる、具体的には、ギア付ブッシュ３０７の複数の第１歯部３２７と噛み合うように延びる、８個の第２歯部３２９を備えている。回転型ラチェット３０９はまた、押込部３０５の凹部（図示せず）と嵌合する、複数の突起部３３１を備えている。
【００５４】
押込部３０５が押し込まれていない状態では、ギア付ブッシュ３０７の複数の第１歯部３２７と、回転型ラチェット３０９の複数の第２歯部とが噛み合っており、ギア付ブッシュ３０７と、回転型ラチェット３０９とが固定され、回転部７が、回転不可能状態に固定されている。その結果、アーム角度θが一定に保持される。
【００５５】
押込部３０５を押し込むと、押込部３０５に固定された回転型ラチェット３０９が、押込部３０５とともに押し込まれ、ギア付ブッシュ３０７と、回転型ラチェット３０９とが離間し、ギア付ブッシュ３０７の複数の第１歯部３２７と、回転型ラチェット３０９の複数の第２歯部３２９との噛合いが解除され、回転部７が回転可能状態に切り替えられる。その結果、使用者が、アーム角度θを変えることができる。
【００５６】
使用者が、押込部３０５から手を離すと、第１バネ３１１及び第２バネ３１３の復元力により、押込部３０５及び回転型ラチェット３０９とが押し上げられ、ギア付ブッシュ３０７の複数の第１歯部３２７と、回転型ラチェット３０９の複数の第２歯部３２９とが噛合い、回転部７が、回転不可能状態に切り替えられる。その結果、ギア付ブッシュ３０７と連結されている第１アーム部５と、回転型ラチェット３０９と連結されている第２アーム部９とが形成する角度が固定される。
【００５７】
第１実施形態では、ギア付ブッシュ３０７に、第１歯部３２７が計８個配置されており、回転型ラチェット３０９に、第２歯部３２９が計８個配置されており、回転部７は、４５度刻みで、回転軸に沿って、理論上は、０〜３６０度の範囲で回転することができる。アーム角度は、第１アーム部５と、第２アーム部９とが接触しないように、４５度刻みで、０度〜２７０度の値をとりうる。
【００５８】
ギア付ブッシュ３０７の複数の第１歯部３２７のそれぞれは、向かって下方ほど、すなわち、回転型ラチェット３０９の複数の第２歯部３２９に近づくほど先細る形状を有している。具体的には、複数の第１歯部３２７のそれぞれは、回転軸ＲＡと先細り角θ1を有するように先細る形状を有している。また、回転型ラチェット３０９の複数の第２歯部のそれぞれは、向かって上方ほど、すなわち、ギア付ブッシュ３０７の複数の第１歯部に近づくほど先細る形状を有している。具体的には、複数の第２歯部３２９のそれぞれは、回転軸ＲＡと先細り角θ2を有するように先細る形状を有している。
【００５９】
複数の第１歯部３２７のそれぞれと、複数の第２歯部３２９のそれぞれとが、先細る形状を有することにより、第１歯部３２７及び第２歯部３２９、ひいては、ギア付ブッシュ３０７及び回転型ラチェット３０９が破損しにくくなる。清掃の際に、第１アーム部５が家具、壁等にぶつかり、第１アーム部５に、アーム角度θを変えるような大きな力が加わった場合に、先細り角θ1を有する第１歯部３２７が、先細り角θ2を有する第２歯部３２９が並ぶ方向に沿って、すなわち、回転軸ＲＡの回転方向に移動し、第１歯部３２７及び第２歯部３２９の噛合いを１つずらし、加わった力を逃がすことができるからである。
【００６０】
複数の第１歯部３２７のそれぞれと、複数の第２歯部３２９のそれぞれとが、先細る形状を有する場合は、先細り角θ1は、好ましくは１〜２０度、より好ましくは１〜１０度、そしてさらに好ましくは２〜７度である。また、先細り角θ2は、好ましくは１〜２０度、より好ましくは１〜１０度、そしてさらに好ましくは２〜７度である。
先細り角θ1と、先細り角θ2とは、同一であることが好ましい。複数の第１歯部３２７と、複数の第２歯部３２９との噛合いの観点からである。
なお、先細り角θ1及び先細り角θ2のそれぞれは、第１歯部３２７及び第２歯部３２９の噛込深さ、第１バネ及び第２バネのバネ定数率等によっても好ましい値は変わりうる。
【００６１】
図９は、収縮形態における第１アーム部５を説明するための図である。具体的には、図９（ａ）は、収縮形態における第１アーム部５の正面の、第１アーム部軸線ＡＬ1を通る断面図であり、図９（ｂ）は、収縮形態における第１アーム部５の左側面の、第１アーム部軸線ＡＬ1を通る断面図である。
図１０は、伸長形態における第１アーム部５を説明するための図である。具体的には、図１０（ａ）は、伸長形態における第１アーム部５の正面の、第１アーム部軸線ＡＬ1を通る断面図であり、図１０（ｂ）は、伸長形態における第１アーム部５の左側面の、第１アーム部軸線ＡＬ1を通る断面図である。
【００６２】
第１アーム部５は、第１筒体中空部４０２を備える第１アーム部第１筒体４０１と、第１筒体中空部４０２に挿入された、第２筒体中空部４０４を備える第１アーム部第２筒体４０３と、第２筒体中空部４０４に挿入された、第３筒体中空部４０６を備える第１アーム部第３筒体４０５と、第３筒体中空部４０６に挿入された第１アーム部第４筒体４０７とを備える。
第１アーム部５は、図９に示される収縮形態から、第１アーム部第１筒体４０１と、第１アーム部第２筒体４０３と、第１アーム部第３筒体４０５と、第１アーム部第４筒体４０７とを、第１アーム部軸線ＡＬ1方向に伸長させることにより伸長形態に変形することができる。
【００６３】
第１アーム部第１筒体４０１は、清掃具１の基端１５よりの第１基端部４０９と、清掃具１の先端（図示せず）よりの第１先端部４１１とを備え、第１アーム部第２筒体４０３は、清掃具１の基端１５よりの第２基端部４１３と、清掃具１の先端（図示せず）よりの第２先端部４１５とを備え、第１アーム部第３筒体４０５は、清掃具１の基端１５よりの第３基端部４１７と、清掃具１の先端（図示せず）よりの第３先端部４１９とを備え、そして第１アーム部第４筒体４０７は、清掃具１の基端１５よりの第４基端部４２１と、清掃具１の先端（図示せず）よりの第４先端部（図示せず）とを備える。
【００６４】
第１アーム部第１筒体４０１は、第１基端部４０９に、第１ロック部材４２５を備え、第１アーム部第２筒体４０３は、第２基端部４１３に、第２ロック部材４２７を備え、第１アーム部第３筒体４０５は、第３基端部４１７に、第３ロック部材４２９を備え、そして第１アーム部第４筒体４０７は、第４基端部４２１に、第４ロック部材４３１を備える。
【００６５】
図１１は、第１ロック部材４２５を説明するための図である。具体的には、図１１（ａ）は、第１ロック部材４２５の左側面図であり、図１１（ｂ）は、第１ロック部材４２５の左側面の、第１アーム部軸線ＡＬ1を通る断面図である。なお、図１１（ｂ）では、理解のために、第１アーム部第１筒体４０１が波線で示されている。
【００６６】
第１ロック部材４２５は、清掃具１を吊り下げて保管するための吊下穴４３３と、後述する第２ロック部材４２７の延出部４４１の一対のロック用第２突起４４７及びロック用第２突起４４８とロックさせるための、一対のロック用第１凹部４３５及びロック用第１凹部４３６と、第１ロック部材４２５を、第１アーム部第１筒体４０１に固定するためのネジ穴４３７とを備える。なお、第１ロック部材４２５は、図９及び図１０に示されるように、ネジ穴４３７に差し込まれたネジ４３８により第１アーム部第１筒体４０１に固定されている。
【００６７】
図１２は、第２ロック部材４２７を説明するための図である。具体的には、図１２（ａ）は、第２ロック部材４２７の左側面図であり、図１２（ｂ）は、図１０（ｂ）の第２ロック部材４２７付近の拡大図であり、説明のため、第２ロック部材４２７と、第１アーム部第１筒体４０１と、第１アーム部第２筒体４０３とを、離間して示してある。
第２ロック部材４２７は、第１アーム部第２筒体４０３の内部に固定される本体部４３９と、第１アーム部第２筒体４０３の第２基端部４１３から、第１アーム部軸線ＡＬ1に沿って第１アーム部第２筒体４０３の外側に延出する延出部４４１とに区画される。延出部４４１は、第１アーム部５の収縮形態及び伸長形態の両方において、第１アーム部第１筒体４０１の内部に配置される。
【００６８】
第２ロック部材４２７の本体部４３９は、第１アーム部第２筒体４０３の一対の嵌合孔４４３及び嵌合孔４４４と嵌合する、一対の嵌合突起４４５及び嵌合突起４４６を備えている。第２ロック部材４２７は、嵌合突起４４５及び嵌合突起４４６を、それぞれ、第１アーム部第２筒体４０３の嵌合孔４４３及び嵌合孔４４４と嵌合させることにより、第１アーム部第２筒体４０３に固定される。
【００６９】
第２ロック部材４２７の延出部４４１は、第１ロック部材４２５の、一対のロック用第１凹部４３５及びロック用第１凹部４３６とロックさせるための、一対のロック用第２突起４４７及びロック用第２突起４４８を備えている。第１ロック部材４２５と、第２ロック部材４２７とは、第１アーム部５の収縮形態において、ロック用第２突起４４７をロック用第１凹部４３５にはめ込み、そしてロック用第２突起４４８を、ロック用第１凹部４３６にはめ込むことにより、第１アーム部第１筒体４０１と、第１アーム部第２筒体４０３とをロックする。
【００７０】
第２ロック部材４２７の延出部４４１はまた、外側（すなわち、第１アーム部軸線ＡＬ1から遠ざかる方向）に突出する係合面４５０を有する係合用凸部４４９と、摺動部４５１（４５１ａ，４５１ｂ，４５１ｃ，４５１ｄ）とを備えている。係合用凸部４４９は、第１アーム部軸線ＡＬ1の周囲を一周するように連続的に配置されている。摺動部４５１（４５１ａ，４５１ｂ，４５１ｃ，４５１ｄ）の間には、スリット部４５３（４５３ａ，４５３ｂ，４５３ｄ，４５３ｄ）が配置され、摺動部４５１は、第１アーム部軸線ＡＬ1の周囲を一周するように間欠的に配置されている。
【００７１】
具体的には、摺動部４５１ａ及び摺動部４５１ｂの間にスリット部４５３ａが配置され、摺動部４５１ｂ及び摺動部４５１ｃの間にスリット部４５３ｂが配置され、摺動部４５１ｃ及び摺動部４５１ｄの間にスリット部４５３ｃが配置され、そして摺動部４５１ｄ及び摺動部４５１ａの間にスリット部４５３ｄが配置されている。摺動部４５１（４５１ａ，４５１ｂ，４５１ｃ，４５１ｄ）の間には、スリット部４５３（４５３ａ，４５３ｂ，４５３ｄ，４５３ｄ）が配置されていることから、摺動部４５１（４５１ａ，４５１ｂ，４５１ｃ，４５１ｄ）は、内側に撓むことができる。
【００７２】
第１アーム部第１筒体４０１は、第１先端部４１１の内面４５５に、先端１３に近い順から、係止部４５７、係合面４５９及び摺動面４６１を備える。第１アーム部第１筒体４０１の係止部４５７、係合面４５９及び摺動面４６１の内面の、第１アーム部軸線ＡＬ1と直交する方向の断面形状（以下、単に「内面断面形状」と称する）は、お互いに略相似形である楕円形であり、第１アーム部第１筒体４０１は、摺動面４６１、係合面４５９及び係止部４５７と、上記内面断面形状が段階的に小さくなる構造を有している。
【００７３】
また、第２ロック部材４２７の延出部４４１の係合用凸部４４９の外面（係合面４５０）の、第１アーム部軸線ＡＬ1と直交する方向の断面形状（以下、単に「外面断面形状」と称する）は、第１アーム部第１筒体４０１の係止部４５７、係合面４５９及び摺動面４６１の内面断面形状と略相似形である楕円形であり、第２ロック部材４２７の延出部４４１の係合用凸部４４９の外面断面形状のサイズと、第１アーム部第１筒体４０１の係止部４５７、係合面４５９及び摺動面４６１の内面断面形状のサイズとの間には、以下の関係がある。
係止部４５７＜係合面４５９≦係合用凸部４４９＜摺動面４６１
【００７４】
第１アーム部第１筒体４０１及び第１アーム部第２筒体４０３は、第１アーム部５を収縮形態から伸長形態に変形させる際（第１アーム部第２筒体４０３を、第１アーム部第１筒体４０１から引き出す際）に、第２ロック部材４２７の係合用凸部４４９の係合面４５０の外面断面形状は、第１アーム部第１筒体４０１の摺動面４６１の内面断面形状よりも小さいので、第２ロック部材４２７の係合用凸部４４９は、第１アーム部第１筒体４０１の摺動面４６１と、原則的には摺動せずに移動する。
【００７５】
次いで、第２ロック部材４２７の係合用凸部４４９が、第１アーム部第１筒体４０１の係合面４５９に到達すると、第２ロック部材４２７の係合用凸部４４９の係合面４５０の外面断面形状が、第１アーム部第１筒体４０１の係合面４５９の内面断面形状と同一であるか、又は若干大きいため、第２ロック部材４２７の係合用凸部４４９が、第１アーム部第１筒体４０１の係合面４５９と係合する。第２ロック部材４２７の係合用凸部４４９の係合面４５０の外面断面形状は、第１アーム部第１筒体４０１の係止部４５７の内面断面形状よりも大きいため、第２ロック部材４２７の係合用凸部４４９は、第１アーム部第１筒体４０１の係止部４５７を超えることができない。従って、第１アーム部第１筒体４０１及び第１アーム部第２筒体は、係合用凸部４４９と、係合面４５９とが係合した状態でロックされる。
【００７６】
第２ロック部材４２７の延出部４４１は、係合用凸部４４９に加え、摺動部４５１（４５１ａ，４５１ｂ，４５１ｃ，４５１ｄ）とを備えているので、第１アーム部第１筒体４０１及び第１アーム部第２筒体は、収縮形態から伸長形態に伸長させる際に、第２ロック部材４２７の延出部４４１の摺動部４５１（４５１ａ，４５１ｂ，４５１ｃ，４５１ｄ）が、第１アーム部第１筒体４０１の摺動面４６１と摺動し、第１アーム部第１筒体４０１及び第１アーム部第２筒体４０３を、収縮形態及び伸長形態の間の任意の位置で固定することができる。
【００７７】
第２ロック部材４２７は、本体部４３９に、第３ロック部材４２９の、一対のロック用第３突起４６５及びロック用第３突起４６６（図９を参照せよ）とロックさせるための、一対のロック用第２凹部４６３及びロック用第２凹部４６４を備えている。
【００７８】
第３ロック部材４２９の構造は、第２ロック部材４２７と同様であり、第１アーム部第３筒体４０５の内部に固定される本体部（図示せず）と、第１アーム部第３筒体４０５の第３基端部４１７から、第１アーム部軸線ＡＬ1に沿って第１アーム部第３筒体４０５の外側に延出する延出部（図示せず）とに区画され、当該本体部が、第１アーム部第３筒体４０５の一対の嵌合孔（図示せず）と嵌合する、一対の嵌合突起（図示せず）と、第４ロック部材の一対のロック用第４突起４６９及びロック用第４突起４７０とロックするための一対のロック用第３凹部４６７及びロック用第３凹部４６８とを備える。
【００７９】
上記延出部は、一対のロック用第３突起４６５及びロック用第３突起４６６と、係合用凸部（図示せず）と、摺動部（図示せず）とを備える。
第４ロック部材４３１は、第３ロック部材４２９の一対のロック用第３凹部４６７及びロック用第３凹部４６８とロックするための一対のロック用第４突起４６９及びロック用第４突起４７０を備える。
【００８０】
第１アーム部第２筒体４０３は、第２基端部４１３に、第１アーム部第１筒体４０１の第１基端部４０９と同様の構造を有するので、説明を省略する。第１アーム部第３筒体４０５は、第１アーム部第２筒体４０３と同様の構造を有するので、説明を省略する。第１アーム部第４筒体４０７の第４基端部４２１の構造は、第１アーム部第１筒体４０１の第１基端部４０９と同様であるので、説明を省略する。
【００８１】
第３ロック部材４２９と、第１アーム部第３筒体４０５及び第１アーム部第２筒体４０３との関係性は、第２ロック部材４２７と、第１アーム部第２筒体４０３及び第１アーム部第１筒体４０１との関係と同様であるので説明を省略する。
また、第４ロック部材４３１と、第１アーム部第４筒体４０７及び第１アーム部第３筒体４０５との関係性は、第２ロック部材４２７と、第１アーム部第２筒体４０３及び第１アーム部第１筒体４０１との関係と同様であるので説明を省略する。
【００８２】
第１アーム部５は、第１アーム部第１筒体４０１、第１アーム部第２筒体４０３、第１アーム部第３筒体４０５及び第１アーム部第４筒体４０７、並びに第１ロック部材４２５、第２ロック部材４２７、第３ロック部材４２９及び第４ロック部材４３１が上述の構造を有することにより、第１アーム部軸線ＡＬ1方向に伸長可能であるとともに、伸長形態を保持する伸長時ロック機構と、収縮形態を保持する収縮時ロック機構とを備える。また、第１アーム部５は、任意の長さで固定されうる。
【００８３】
次に、図１３〜図１７を用いて、第１実施形態に従う清掃具１の、収納形態から清掃形態への変形の手順の一例を説明する。
清掃体取付部１１に清掃体１０１が取付けられた、収納形態にある清掃具１を準備する。
図１３に示されるように、右手で、清掃具１の第１アーム部５の把持部３を把持し、そして左手の親指を回転部７の切替部３０１に添えながら、左手で、第２アーム部９の第２アーム部第１筒体２０１を把持する。なお、左手の人差し指で、回転部７の支持部（図示せず）側を押さえてもよい。
【００８４】
次いで、図１４に示されるように、左手の親指で切替部３０１を押込み、回転部７を回転不可能状態から回転可能状態に切り替え、回転部７を、アーム角度θが所望の角度となるように回転させる。
次いで、図１５に示されるように、左手で、第２アーム部９の第２アーム部第１筒体２０１を、向かって左に動かし、第２アーム部９を、所望の長さに伸長させる。
次いで、図１６に示されるように、左手の親指及び人差し指で回転部７をつまみながら、左手で第２アーム部９を保持し、左手を上に上げ、右手を下に下げることにより、第１アーム部５を、所望の長さに伸長させ、図１７に示されるように、清掃具１を清掃形態に変形させる。
以上のとおり、第１実施形態に従う清掃具１は、収納形態から清掃形態への変形が容易である。
【００８５】
第１実施形態に従う清掃具１は、図１３〜図１７に示される変形手順を逆順で行うことにより、清掃形態から収納形態に簡易に変形することができる。
なお、図１３〜図１７に示される収納形態から清掃形態への変形、並びに清掃形態から収納形態への変形の手順は一例であり、本開示の清掃具の構成、使い方等を何ら限定するものではない。
【００８６】
本開示の清掃具では、第２アーム部は、伸縮可能であれば、その構造は、第１実施形態に示されるものに限定されず、公知の伸縮構造を採用してもよい。
上記清掃具は、伸長可能な第２アーム部を有することにより、清掃具の収納形態を、清掃形態より小さくすることができ、保管性に優れる。
本開示の清掃具では、第２アーム部は、その伸長形態を保持する伸長時ロック機構を備えることが好ましい。第２アーム部を伸長形態において使用する場合に、第２アーム部を固定する観点からである。上記伸長時ロック機構としては、第１実施形態に示されるものに限定されず、公知のものを採用することができる。
【００８７】
本開示の清掃具では、第２アーム部は、収縮形態を保持する収縮時ロック機構を備えていてもよい。清掃具を吊り下げて保管する際に、第２アーム部を伸長させない観点からである。また、本開示の清掃具を、第２アーム部を伸長させずに下向きに使用する場合（例えば、ノートパソコンのキーボード等のホコリ等を除去するために使用する場合）に、第２アーム部の長さを固定する観点からである。
【００８８】
本開示の清掃具では、第２アーム部は、収縮形態と、伸長形態との間の任意の長さで固定可能な構造を有していてもよい。清掃すべき場所に合わせて、本開示の清掃具を最適な形状に変形させる観点からである。収縮形態と、伸長形態との間の任意の長さで固定可能な構造として、公知の構造を採用することができ、例えば、第２アーム部第１筒体と、第２アーム部第２筒体とを摺動させる構造が挙げられる。
【００８９】
本開示の清掃具において、第２アーム部が、中空部を有する第２アーム部第１筒体と、中空部内に挿入された第２アーム部第２筒体とを少なくとも備える実施形態では、第２アーム部第１筒体は、回転部及び清掃体取付部のいずれとも連結されうるが、第２アーム部第１筒体は、清掃体取付部に連結されていることが好ましい。第２アーム部の伸長及び収縮させやすさの観点からである。
【００９０】
本開示の清掃具では、回転部は、第１実施形態に示されるものに限定されず、公知の回転部構造、例えば、特許文献１、特開２００４−４９６１９号、特開２００９−１７９５８号、特開２００９−３４３３８号等に記載の構造を採用してもよい。
【００９１】
本開示の清掃具では、回転部は、その回転軸上に、回転部の回転可能状態と、回転不可能状態とを切り替える切替部を備えることが好ましい。本開示の清掃具の清掃形態変形性、並びに収納形態変形性の観点からである。
本開示の清掃具では、回転部は、回転部の回転軸に沿って回転する第１ギア部と、回転部の回転軸に沿って回転する第２ギア部とを備えることが好ましい。また、第１ギア部及び第２ギア部が、それぞれ、お互いに噛み合う複数の第１歯部と、複数の第２歯部とを備えることが好ましい。切替部を回転軸上に配置する観点からである。
【００９２】
また、本開示の清掃具において、回転部が、回転部の回転軸に沿って回転する第１ギア部と、回転部の回転軸に沿って回転する第２ギア部とを備える実施形態では、第１ギア部が、第２ギア部に向かって先細となる複数の歯を備え、第２ギア部が、第１ギア部に向かって先細となる複数の歯を備えることが好ましい。第１歯部及び第２歯部、ひいては、第１ギア部及び第２ギア部が破損しにくく観点からである。
【００９３】
本開示の清掃具では、第１アーム部は、伸長不可能であってもよく、そして伸長可能であり、収縮形態と、伸長形態とを備えてもよい。
第１アーム部が伸長可能である実施形態では、第１アーム部は、第１実施形態に示されるように、収縮形態、伸長形態、並びにそれらの間の任意の長さで、第１アーム部を固定することができることが好ましい。清掃すべき場所に合わせて、本開示の清掃具を最適な形状に変形させ、そしてその形状を保持する観点からである。
第１アーム部が伸縮可能であることにより、本開示の清掃具が、清掃具の収納形態を、清掃形態より小さくすることができ、保管性に優れる。
【００９４】
本開示の清掃具では、第１アーム部の構造は、第１実施形態に示されるものに限定されず、公知の構造、例えば、特開２００４−４９６２８号、特開２０１０−２９５５７号等に記載の構造を採用することができる。
【００９５】
本開示の清掃具では、清掃具の基端から回転部の回転軸までの長さを「基端長さ」とし、回転部の回転軸から清掃具の先端までの長さを「先端長さ」とした場合に、基端長さと、先端長さとの好ましい関係は以下の通りである。
また、先端長さに関し、「収縮形態における第２アーム部を含む先端長さ」を、単に、『収縮形態における先端長さ』と称し、「伸長形態における第２アーム部を含む先端長さ」を、単に、『伸長形態における先端長さ』と称する。
さらに、基端長さに関し、「伸縮不可能な第１アーム部、又は伸縮可能且つ収縮形態における第１アーム部を含む基端長さ」を、単に、『収縮形態における基端長さ』と称し、「伸縮可能且つ伸長形態における第１アーム部を含む基端長さ」を、単に、『伸長形態における基端長さ』と称する。
【００９６】
収縮形態及び伸長形態における先端長さは、収縮形態における基端長さの、好ましくは０．６〜２．０倍、より好ましくは０．８〜１．５倍、そしてさらに好ましくは１．０〜１．３倍の範囲内にある。そうすることにより、収納形態における清掃具をコンパクトにすることができる一方で、清掃体を取付けるための十分な清掃体取付部の長さ（ひいては清掃するために十分な清掃体のサイズ）と、第２アーム部の伸縮性（収縮形態における第２アーム部の長さと、伸長形態における第２アーム部の長さとの差）とを確保することができる。また、そうすることにより、本開示の清掃具を、第２アーム部のみを伸長させて使用する場合に、清掃具が操作性に優れる。
【００９７】
本開示の清掃具では、収縮形態及び伸長形態における先端長さは、伸長形態における基端長さの、好ましくは０．１〜０．７倍、より好ましくは０．２〜０．６倍、そしてさらに好ましくは０．３〜０．５倍の範囲内にある。そうすることにより、清掃具の重心が先端よりにならず、使用者が、清掃具を重く感じにくい。また、清掃具が操作性に優れ、使用者から遠い、奥行きの深い清掃すべき場所を簡易に清掃することができる。
収縮形態及び伸長形態における先端長さは、例えば、１５０〜４９０ｍｍ、２００〜３７０ｍｍ、２５０〜３３０ｍｍ等の値をとりうる。
【００９８】
本開示の清掃具では、清掃体取付部は、特に制限されず、公知の構造、例えば、上述の公報に記載される構造を有することができる。
本開示の清掃具では、清掃体は、使い捨てのもの、洗浄等を経て繰り返し使用するのもの等、任意の公知の清掃体であることができる。
【００９９】
本開示の清掃具は、清掃具の使用者と、清掃すべき場所との間に障害物があり、清掃具を屈曲させて使用すべきシチュエーションにおいて、清掃すべき場所の清掃性に優れる。上記清掃すべき場所としては、高い場所、低い場所、狭い場所等が挙げられる。上記清掃すべき場所の具体例としては、例えば、電化製品、家具等（以下、「電化製品等」と称する）の天板、電化製品等と、天井との間の空間、電化製品等と、壁面との間の空間、電化製品等と、床面との間の空間等が挙げられる。
【０１００】
また、本開示の清掃具は、清掃すべき場所に合わせて変形可能であるのみならず、使用者に合わせて、変形可能である。例えば、家庭内で複数の使用者、例えば、大人（男性、女性）、子供等、背の高さの異なる使用者が使用する場合に、背の高さに応じて、最適な形状に変形することができる。
図１８に、一例として、実施形態１に従う清掃具１を用いて、エアコン５０１の天板を清掃する例を示す。
【符号の説明】
【０１０１】
１    清掃具
３    把持部
５    第１アーム部
７    回転部
９    第２アーム部
１１    清掃体取付部
１３    先端
１５    基端
１０１    清掃体
２０１    第２アーム部第１筒体
２０３    中空部
２０５    第２アーム部第２筒体
２０７    はめ込み部材
２０９，２１０    嵌合用窪み
２１１，２１２    嵌合用突起
２１３    回転部連結体
２１５    第２アーム部第１基端部
２１７    第２アーム部第１先端部
２１９    第２アーム部第２基端部
２２１    第２アーム部第２先端部
θ    アーム角度
θ1    先細り角
θ2    先細り角
ＡＬ1    第１アーム部軸線
ＡＬ2    第２アーム部軸線
ＲＡ    回転軸
【図１】
2018042690.tif 000003
【図２】
2018042690.tif 000004
【図３】
2018042690.tif 000005
【図４】
2018042690.tif 000006
【図５】
2018042690.tif 000007
【図６】
2018042690.tif 000008
【図７】
2018042690.tif 000009
【図８】
2018042690.tif 000010
【図９】
2018042690.tif 000011
【図１０】
2018042690.tif 000012
【図１１】
2018042690.tif 000013
【図１２】
2018042690.tif 000014
【図１３】
2018042690.tif 000015
【図１４】
2018042690.tif 000016
【図１５】
2018042690.tif 000017
【図１６】
2018042690.tif 000018
【図１７】
2018042690.tif 000019
【図１８】
2018042690.tif 000020